(57)【要約】【課題】内部に薬剤を収納した薬剤収納容器を所定の位置に位置決め保持し、常に、一定量の薬効成分を周囲の空間に付与できるようにする。【解決手段】少なくとも一つの薬剤収納容器１３を保持する薬剤容器１であって、容器本体２と蓋８とを備える。容器本体２には、薬剤収納容器１３の薬剤収納部１４を係合させる係合孔４が設けられ、係合孔４の開口周縁部には薬剤収納容器１３の鍔部１６を係合させる係合段部５が設けられる。薬剤収納容器１３は、薬剤収納部を係合孔４内に係合させ、鍔部１６を係合段部５内に係合させ、この状態で鍔部１を容器本体２と蓋８との間で挟持することにより、所定の位置に位置決め保持されることになる。【選択図】      図１
2004261151.tif 000002
【特許請求の範囲】
【請求項１】
内部に薬剤が収納された薬剤収納容器を保持する薬剤容器であって、容器本体と、該容器本体に取り付けられる蓋とを備え、前記容器本体又は前記蓋の少なくとも何れか一方に前記薬剤収納容器の一部を係合させる係合孔を設け、該係合孔内に前記薬剤収納容器の一部を係合させた状態で、前記容器本体と前記蓋との間で前記薬剤収納容器の一部を保持するように構成したことを特徴とする薬剤容器。
【請求項２】
前記薬剤収納容器は、前記係合孔に係合される薬剤収納部と、該薬剤収納部に一体に設けられるとともに、前記容器本体と前記蓋との間で挟持される鍔部とを有することを特徴とする請求項１に記載の薬剤容器。
【請求項３】
前記薬剤収納容器は、薬剤非浸透性部材からなるものであって、前記薬剤収納部の内部に薬剤を含浸させた薬剤含浸体が収納されていることを特徴とする請求項１又は２に記載の薬剤容器。
【請求項４】
前記容器本体又は前記蓋の何れか一方に、前記薬剤収納容器の鍔部を係合させる係合段部を設けたことを特徴とする請求項２又は３に記載の薬剤容器。
【請求項５】
前記容器本体又は前記蓋にフックを設けたことを特徴とする請求項１から４の何れかに記載の薬剤容器。
【請求項６】
前記薬剤は、防虫剤、芳香剤、消臭剤、除湿剤、脱臭剤、防かび剤から選ばれる１種若しくは２種以上の組合せであることを特徴とする請求項１から５の何れかに記載の薬剤容器。
【請求項７】
前記薬剤収納容器は、内部に収納される薬剤の残量を表示するインジケーター機能を備えていることを特徴とする請求項１から６の何れかに記載の薬剤容器。
【発明の詳細な説明】
【０００１】
【発明の属する技術分野】
本発明は、薬剤容器に関し、特に、洋服ダンス等に吊り下げて使用するタイプの薬剤容器に関するものである。
【０００２】
【従来の技術】
この種の薬剤容器の一例として、内部に薬剤の収納室が設けられるとともに、一側面に収納室内外を連通する薬剤の挿脱口が設けられ、表面（前面、後面、及び下面）の一部に収納室内外を連通する薬剤の揮散口が設けられる容器本体を有し、この容器本体の挿脱口から収納室内に板状の薬剤を挿脱可能に構成した薬剤容器が知られている（例えば、特許文献１参照。）。
【０００３】
また、薬剤容器の他の例として、直方体状をなすとともに、壁面に内外を貫通する揮散口が設けられる箱体と、箱体に着脱自在に取り付けられる吊り下げ手段とを備え、箱体の内部に内部に薬剤が収納される複数の袋体を収納するように構成した薬剤容器が知られている（例えば、特許文献２参照。）。
【０００４】
【特許文献１】
実開平５−６７２６５号公報
【特許文献２】
実開平７−７４６０号公報
【０００５】
【発明が解決しようとする課題】
ところで、上記のような構成の薬剤容器のうち、前者は、容器本体の頂部に設けたフックを介して洋服ダンス等に吊り下げることにより、容器本体内の薬剤が揮散口を介して空気と接触して揮散し、洋服ダンス等の内部に薬効成分を漂わせることができるものである。
【０００６】
しかしながら、容器本体がデザインを重視した特殊な形状に形成されているため、その容器本体に専用の特殊な形状の薬剤を使用しなければならない。このため、薬剤の製造コストが高く付き、薬剤容器全体としての価格が高くなってしまう。また、薬剤の揮散性物質の残量を表示する機能を備えていないため、薬効が得られる期間を過ぎても使用を続けてしまう問題もある。さらに、使用する空間の大きさによって薬剤の量をフレキシブルに変更することができず、必要以上の薬効成分を空間に付与したり、十分な薬効成分を空間に付与できないことがある。
【０００７】
一方、後者は、吊り下げ手段を介して洋服ダンス等に吊り下げることにより、箱体内の各袋体の内部に収納されている薬剤が揮散口を介して空気と接触して揮散し、洋服ダンス等の内部に薬効成分を漂わせることができるものである。
【０００８】
しかしながら、箱体内の所定の位置に各袋体を保持する機能を備えていないため、袋体が箱体内の一箇所に片寄ってしまうことがあり、使用する空間の大きさによって薬剤の量をフレキシブルに変更することができず、必要以上の薬効成分を空間に付与したり、十分な薬効成分を空間に付与できないことがある。また、薬剤の揮散性物質の残量を表示する機能を備えていないため、薬効が得られる期間を過ぎても使用を続けてしまうことがある。
【０００９】
本発明は、上記のような従来の問題を解決したものであって、専用の特殊な形状の薬剤を使用する必要がなく、汎用性のある種々のタイプの薬剤を使用することができ、これにより薬剤のコストを低減させることができて、全体としての価格を安く抑えることができるとともに、薬剤の揮散性物質の残量を表示する機能を備えることにより、薬効が得られる期間を過ぎても使用を続けるようなことがなく、さらに、使用する空間の大きさによって薬剤の量をフレキシブルに変更することができて、常に、適量の薬効成分を空間に付与することができる薬剤容器を提供することを目的とするものである。
【００１０】
【課題を解決するための手段】
上記のような課題を解決するために、本発明の請求項１に係る薬剤容器は、内部に薬剤が収納された薬剤収納容器を保持する薬剤容器であって、容器本体と、該容器本体に取り付けられる蓋とを備え、前記容器本体又は前記蓋の少なくとも何れか一方に前記薬剤収納容器の一部を係合させる係合孔を設け、該係合孔内に前記薬剤収納容器の一部を係合させた状態で、前記容器本体と前記蓋との間で前記薬剤収納容器の一部を保持するように構成した手段を採用している。
また、本発明の請求項２に係る薬剤容器は、請求項１に記載の薬剤容器において、前記薬剤収納容器は、前記係合孔に係合される薬剤収納部と、該薬剤収納部に一体に設けられるとともに、前記容器本体と前記蓋との間で挟持される鍔部とを有する手段を採用している。
さらに、本発明の請求項３に係る薬剤容器は、請求項１又は２に記載の薬剤容器において、前記薬剤収納容器は、薬剤非浸透性部材からなるものであって、前記薬剤収納部の内部に薬剤を含浸させた薬剤含浸体が収納されている手段を採用している。
さらに、本発明の請求項４に係る薬剤容器は、請求項２又は３に記載の薬剤容器において、前記容器本体又は前記蓋の何れか一方に、前記薬剤収納容器の鍔部を係合させる係合段部を設けた手段を採用している。
さらに、本発明の請求項５に係る薬剤容器は、請求項１から４の何れかに記載の薬剤容器において、前記容器本体又は前記蓋にフックを設けた手段を採用している。
さらに、本発明の請求項６に係る薬剤容器は、請求項１から５の何れかに記載の薬剤容器において、前記薬剤は、防虫剤、芳香剤、消臭剤、除湿剤、脱臭剤、防かび剤から選ばれる１種若しくは２種以上の組合せである手段を採用している。
さらに、本発明の請求項７に係る薬剤容器は、請求項１から６の何れかに記載の薬剤容器において、前記薬剤収納容器は、内部に収納される薬剤の残量を表示するインジケーター機能を備えている手段を採用している。
【００１１】
【作用】
本発明は、前記のような手段を採用したことにより、薬剤収納容器は、容器本体又は蓋の何れか一方に設けた係合孔内に一部を係合させ、この状態で一部を容器本体と蓋との間で挟持されることにより、所定の位置に位置決め保持されることになる。そして、この位置において、揮散口を介して薬剤収納容器に空気が接触することにより薬剤が揮散し、周囲に薬効成分が付与されることになる。
また、薬剤収納容器を薬剤収納部と鍔部とによって構成した場合には、薬剤収納容器の薬剤収納部を容器本体又は蓋に設けた係合孔内に係合させ、鍔部を容器本体と蓋との間で挟持することにより、薬剤収納容器を所定の位置に位置決め保持することができる。
さらに、薬剤収納容器は、内部に収納されている薬剤の残量を表示するインジケーターとして機能することになる。
【００１２】
【発明の実施の形態】
以下、図面に示す本発明の実施の形態について説明する。
図１〜図４には、本発明による薬剤容器の第１の実施の形態が示されていて、この薬剤容器１は、容器本体２と、蓋８と、容器本体２と蓋８との間に収納される薬剤収納容器１３とを備えている。
【００１３】
薬剤収納容器１３は、可撓性を有する薬剤非浸透性部材（例えば、ポリエステル）から形成されるものであって、四角形状の突状の薬剤収納部１４と、薬剤収納部１４の周囲に一体に設けられる外方に突出する環状の鍔部１６とを有し、薬剤収納部１４の頂部に薬剤を揮散させる揮散口１５が設けられるようになっている。
【００１４】
薬剤収納部１４の内部には、薬剤を含浸させた含浸体（図示せず）が収納され、この含浸体を揮散口１５を介して空気と接触させることにより、含浸体に含浸されている薬剤が揮散して薬効成分が周囲に付与されるようになっている。含浸体としては、紙、木、パルプ、レーヨン等の不織布が挙げられる。薬剤としては、防虫剤、芳香剤、消臭剤、防かび剤等が挙げられ、これらの１種類のみ若しくは２種類以上の薬剤を組み合わせて使用することも可能である。
【００１５】
薬剤収納容器１３は、含浸体に含浸されている薬剤の揮散性物質の残量を表示するインジケーターとしても機能する。インジケーターは、従来公知のものを使用でき、例えば、特開昭６１−５６１０８号、特開昭６１−５６１０９号、特開昭６２−４２０６号、特開昭６２−１６３９６５号、特開昭６２−１７９６４０号、特開昭６２−２８１８０２号、特開昭６３−６０９０１号、特開昭６３−１０１３０１号、特開昭６４−７９２８４号公報等に記載されているものを使用することができる。そして、揮散口１５を介して含浸体の色の変化等を目視することにより、薬剤の揮散性物質の残量を把握できるようになっている。
【００１６】
容器本体２は、合成樹脂等から形成される四角形板状をなすものであって、４箇所に表裏面間を貫通する四角形状の係合孔４が設けられ、この係合孔４内に薬剤収納容器１３の薬剤収納部１４が係合されるようになっている。容器本体２の係合孔４の開口周縁部には、所定の幅、深さの環状の係合段部５が設けられ、この係合段部５内に薬剤収納容器１３の鍔部１６が係合されるようになっている。
【００１７】
この場合、係合段部５の深さは、薬剤収納容器１３の鍔部１６の厚みと略同じ、又は鍔部１６の厚みよりもやや浅く形成する。このような深さに係合段部５を設定しておくことにより、後述する蓋８で容器本体２の表面側を閉塞したときに、蓋８と容器本体２との間で薬剤収納容器１３の鍔部１６を確実に挟持することができるものである。各係合孔４は、薬剤収納容器１３内に収納される薬剤を揮散させる揮散口としても機能するようになっている。なお、係合段部５は、必ずしも設ける必要はないものである。
【００１８】
蓋８は、容器本体２と略同じ大きさの四角形板状をなすものであって、連結部材１０を介して容器本体２に回動自在に連結され、容器本体２の方向に回動したときに容器本体２の表面に密着して表面側を閉塞し、容器本体２から離れる方向に回動したときに容器本体２の表面から離間して表面側を開放するようになっている。
【００１９】
蓋８の連結部材１０と反対側の部分には係合片１１が設けられ、容器本体２の方向に回動させたときに、この係合片１１を容器本体２側に設けられている係合突起６に係合させることにより、蓋８が容器本体２の表面側を閉塞した状態に保持されるようになっている。
【００２０】
蓋８には、表裏面間を貫通する複数のスリット状の揮散口９が設けられ、この揮散口９を介して容器本体２と蓋８との間に収納される薬剤収納容器１３が空気と接触し、薬剤収納容器１３内に収容されている薬剤が揮散して薬効成分が周囲に付与されるようになっている。なお、揮散口９は、スリット状に限らず、円形状、三角形状、四角形状等としても良い。
【００２１】
蓋８の表面側には、板状のフック１２が一体に連結され、このフック１２を介して薬剤容器１を洋服ダンス内の適宜の位置、衣服のポケット等に吊り下げることができるようになっている。なお、フック１２は、容器本体２側に設けても良い。
【００２２】
そして、上記のように構成した容器本体２の各係合孔４の位置にそれぞれ薬剤収納容器１３を位置し、係合孔４内に薬剤収納容器１３の薬剤収納部１４を係合させ、係合段部５内に鍔部１６を係合させる。
【００２３】
そして、蓋８を容器本体２の方向に回動させて、容器本体２の表面に密着させて表面側を閉塞し、蓋８側の係合片１１を容器本体２側の係合突起６に係合させ、蓋８を容器本体２の表面側を閉塞した状態に保持し、蓋８と容器本体２との間で薬剤収納容器１３の鍔部１６を挟持する。このようにして、この実施の形態による薬剤容器１が構成されるものである。
【００２４】
そして、上記のように構成した薬剤容器１をフック１２を介して例えば洋服ダンス内の適宜の位置に吊り下げると、容器本体２の揮散口である係合孔４及び蓋８の揮散口９を介して洋服ダンス内の空気が薬剤収納容器１３に接触し、薬剤収納容器１３内に収納されている含浸体に含浸されている薬剤が揮散を開始し、薬効成分が洋服ダンス内に付与され、洋服ダンス内の防虫、芳香、消臭、防かび等が行われるものである。
【００２５】
上記のように構成したこの実施の形態による薬剤容器１にあっては、薬剤収納容器１３は、薬剤収納部１４が容器本体２の係合孔４内に係合され、鍔部１６が係合段部５内に係合され、この状態で鍔部１６が蓋８と容器本体２との間で挟持されることになるので、容器本体２と蓋８との間の所定の位置に位置決め保持されることになる。従って、洋服ダンス等に吊り下げた場合に薬剤収納容器１３が装着位置からずれてしまって一箇所に片寄ってしまうようなことはなく、薬剤収納容器１３を常に所定の位置に位置決めした状態で薬効成分を周囲の空間に付与することができるので、付与する薬効成分が多すぎたり、少なすぎたりするようなことはなく、常に適量の薬効成分を周囲の空間に付与することができることになる。また、使用される空間によって使用する薬剤収納容器の量を調節することができるので、付与する薬効成分が多すぎたり、少なすぎたりすることはなく、常に適量の薬効成分を周囲の空間に付与することができることになる。
【００２６】
また、薬剤収納容器１３には、タンスの引き出し等にも使用することができる汎用タイプのものを使用することができるので、専用の特殊な形状の薬剤を使用する必要はなく、薬剤のコストを低減させることができることになる。従って、薬剤容器１全体としての価格を安く抑えることができる。
【００２７】
さらに、薬剤収納容器１３は、含浸体に含浸させた薬剤の揮散性物質の残量を表示する機能を備えているので、含浸体の色の変化等を目視することにより、薬効が得られる期間が過ぎても使用を続けるようなことはないものである。
【００２８】
なお、前記の説明においては、容器本体２側に薬剤収納容器１３の薬剤収納部１４を係合させる係合孔４を設け、その開口周縁部に係合段部５を設けたが、図示はしないが、係合段部を蓋側に設けても良い。又、係合孔を蓋側に設け、その開口周縁部に係合段部を設けても良いし、係合孔を蓋側に設け、係合段部を容器本体側に設けても良い。
【００２９】
図５〜図８には、本発明による薬剤容器の第２の実施の形態が示されていて、この薬剤容器２１は、容器本体２２と、蓋２８と、容器本体２２と蓋２８との間に収納される薬剤収納容器３３とを備えている。
【００３０】
薬剤収納容器３３は、前記第１の実施の形態に示すものと同様に、可撓性を有する薬剤非浸透性部材（例えば、ポリエステル）から形成されるものであって、四角形状の突状の薬剤収納部３４と、薬剤収納部３４の周囲に一体に設けられる外方に突出する環状の鍔部３６とを有し、薬剤収納部３４の頂部に薬剤を揮散させる揮散口３５が設けられるようになっている。
【００３１】
薬剤収納部３４の内部には、薬剤を含浸させた含浸体（図示せず）が収納され、この含浸体を揮散口３５を介して空気と接触させることにより、含浸体に含浸されている薬剤が揮散して薬効成分が周囲に付与されるようになっている。含浸体としては、紙、木、パルプ、レーヨン等の不織布が挙げられる。薬剤としては、防虫剤、芳香剤、消臭剤、除湿剤、脱臭剤、防かび剤等が挙げられ、これらの１種類のみ若しくは２種類以上の薬剤を組み合わせて使用することも可能である。
【００３２】
薬剤収納容器３３は、含浸体に含浸されている薬剤の揮散性物質の残量を表示するインジケーターとしても機能する。インジケーターは、従来公知のものを使用でき、例えば、特開昭６１−５６１０８号、特開昭６１−５６１０９号、特開昭６２−４２０６号、特開昭６２−１６３９６５号、特開昭６２−１７９６４０号、特開昭６２−２８１８０２号、特開昭６３−６０９０１号、特開昭６３−１０１３０１号、特開昭６４−７９２８４号公報等に記載されているものを使用することができる。そして、揮散口３５を介して含浸体の色の変化等を目視することにより、薬剤の揮散性物質の残量を把握できるようになっている。
【００３３】
容器本体２２は、合成樹脂等から形成される四角形状をなすものであって、４ヶ所に表裏面間を貫通する四角形状の係合孔２４が設けられ、この係合孔２４内に薬剤収納容器３３の薬剤収納部３４が係合されるようになっている。各係合孔２４は、薬剤収納容器３３内に収納される薬剤を揮散させる揮散口としても機能するようになっている。
【００３４】
蓋２８は、容器本体２２と略同じ大きさの四角形板状をなすものであって、連結部材３０を介して容器本体２２に回動自在に連結され、容器本体２２の方向に回動したときに容器本体２２の表面に密着して表面側を閉塞し、容器本体２２から離れる方向に回動したときに容器本体２２の表面から離間して表面側を開放するようになっている。
【００３５】
蓋２８の連結部材３０と反対側の部分には係合片３１が設けられ、容器本体２２の方向に回動させたときに、この係合片３１を容器本体２２側に設けられている係合突起２６に係合させることにより、蓋２８が容器本体２２の表面側を閉塞した状態に保持されるようになっている。
【００３６】
蓋２８は、容器本体２２と同様に、４ヶ所に表裏面間を貫通する四角形状の係合孔２９が設けられ、この係合孔２９内に薬剤収納容器３３の薬剤収納部３４が係合されるようになっている。各係合孔２９は、薬剤収納容器３３内に収納される薬剤を揮散させる揮散口としても機能するようになっている。
【００３７】
蓋２８の表面側には、一部が切欠された環状のフック３２が一体に連結され、このフック３２を介して薬剤容器２１を洋服ダンス内の適宜の位置、衣服のポケット等に吊り下げることができるようになっている。なお、フック３２は、容器本体２２側に設けても良い。
【００３８】
そして、上記のように構成した容器本体２２及び蓋２８の各係合孔２４、２９の位置にそれぞれ薬剤収納容器３３、３３を位置し、係合孔２４、２９内に薬剤収納容器３３、３３の薬剤収納部３４、３４を係合させる。そして、蓋２８を容器本体２２の方向に回動させて、閉塞し、蓋２８側の係合片３１を容器本体２２の係合突起２６に係合させ、蓋２８を容器本体２２を閉塞した状態に保持し、蓋２８と容器本体２２との間で薬剤収納容器３３、３３を保持する。このようにして、この実施の形態による薬剤容器２１が構成されるものである。
【００３９】
そして、上記のように構成した薬剤容器２１をフック３２を介して例えば洋服ダンス内の適宜の位置に吊り下げると、容器本体２２の揮散口である係合孔２４及び蓋２８の揮散口である係合孔２９を介して洋服ダンス内の空気が薬剤収納容器３３に接触し、薬剤収納容器３３内に収納されている含浸体に含浸されている薬剤が揮散を開始し、薬効成分が洋服ダンス内に付与され、洋服ダンス内の防虫、芳香、消臭、除湿、防かび等が行われるものである。
【００４０】
上記のように構成したこの実施の形態による薬剤容器２１にあっては、薬剤収納容器３３は薬剤収納部３４が容器本体２２及び蓋２８の係合孔２４、２９内に係合され、この状態で、蓋２８と容器本体２２との間で保持されることになるので、容器本体２２と蓋２８との間の所定の位置に位置決め保持されることになる。
【００４１】
従って、薬剤収納容器３３は、薬剤収納部３４が容器本体２２の係合孔２４内に係合され、この状態で鍔部３６が蓋２８と容器本体２２との間で挟持されることになるので、容器本体２２と蓋２８との間に所定の位置に位置決め保持されることになる。従って、洋服ダンス等に吊り下げた場合に薬剤収納容器３３が装着位置からずれてしまって一箇所に片寄ってしまうようなことはなく、薬剤収納容器３３を常に所定の位置に位置決めした状態で薬効成分を周囲の空間に付与することができるので、付与する薬効成分が多すぎたり、少なすぎたりするようなことはなく、常に適量の薬効成分を周囲の空間に付与することができることになる。また、使用される空間によって使用する薬剤収納容器３３の量を調節することができるので、付与する薬効成分が多すぎたり、少なすぎたりすることはなく、常に適量の薬効成分を周囲の空間に付与することができることになる。
【００４２】
また、薬剤収納容器３３には、タンスの引き出し等にも使用することができる汎用タイプのものを使用することができるので、専用の特殊な形状の薬剤を使用する必要はなく、薬剤のコストを低減させることができることになる。従って、薬剤容器２１全体としての価格を安く抑えることができる。
【００４３】
さらに、薬剤収納容器３３は、含浸体に含浸させた薬剤の揮散性物質の残量を表示する機能を備えているので、含浸体の色の変化等を目視することにより、薬効が得られる期間が過ぎても使用を続けるようなことはないものである。なお、本実施の形態では、薬剤として防虫剤、芳香剤、消臭剤、防かび剤等の揮散性薬剤を揮散させるものについて説明したが、これらの薬剤に代えて除湿剤や脱臭剤等の空気中の湿気や悪臭を取り除く薬剤を使用しても良い。この場合、揮散口１５及び３５は空気の吸入口として機能する。
【００４４】
【発明の効果】
本発明は、前記のように構成したことにより、薬剤収納容器は、容器本体又は蓋の何れか一方に設けた係合孔内に一部を係合させ、この状態で容器本体と蓋との間で一部が挟持されることにより、容器本体と蓋との間の所定の位置に位置決め保持されることになるので、複数の薬剤収納容器を収納した場合であっても、それらの薬剤収納容器を所定の位置に確実に位置決め保持することができることになる。従って、複数の薬剤収納容器が一箇所に片寄って薬効成分が必要以上に付与されたり、薬効成分が十分に付与されなかったりするようなことはなく、常に、適量の薬効成分を周囲空間に付与することができることになる。
また、薬剤収納容器を装着する場合、薬剤収納容器の一部（突部）を容器本体側の係合孔に係合させ、薬剤収納容器の一部（鍔部）を容器本体と蓋との間で挟持するだけで良いので、タンスの引き出しに置いて使用するような汎用タイプの薬剤収納容器であっても使用することができることになる。従って、特殊な形状の薬剤収納容器を使用する必要がないので、薬剤収納容器のコストを低減させることができ、薬剤容器全体としてのコストを低減させることができることになる。
さらに、薬剤収納容器は、内部に収納される薬剤の残量を表示するインジケーター機能を備えているので、薬剤収納容器の状態を目視することにより、薬効成分が消失したままの状態で使用を続けるようなことはなくなる。
【図面の簡単な説明】
【図１】本発明による薬剤容器の第１の実施の形態の全体を示した説明図であって、蓋が開いた状態を示した斜視図である。
【図２】本発明による薬剤容器の第１の実施の形態の全体を示した説明図であって、蓋が閉じた状態を示した表面図である。
【図３】本発明による薬剤容器の第１の実施の形態の全体を示した説明図であって、蓋が閉じた状態を示した裏面図である。
【図４】図１の部分拡大断面図である。
【図５】本発明による薬剤容器の第２の実施の形態の全体を示した説明図であって、蓋が開いた状態を示した平面図である。
【図６】本発明による薬剤容器の第２の実施の形態の全体を示した説明図であって、蓋が閉じた状態を示した平面図である。
【図７】図６の右側面図である。
【図８】図６の概略断面図である。
【符号の説明】
１、２１……薬剤容器
２、２２……容器本体
４、２４、２９……係合孔（揮散口）
５……係合段部
６、２６……係合突起
８、２８……蓋
９……揮散口
１０、３０……連結部材
１１、３１……係合片
１２、３２……フック
１３、３３……薬剤収納容器
１４、３４……薬剤収納部
１５、３５……揮散口
１６、３６……鍔部
【図１】
2004261151.tif 000003
【図２】
2004261151.tif 000004
【図３】
2004261151.tif 000005
【図４】
2004261151.tif 000006
【図５】
2004261151.tif 000007
【図６】
2004261151.tif 000008
【図７】
2004261151.tif 000009
【図８】
2004261151.tif 000010